(57)【要約】【課題】発信者と着信者との通話に支障をきたすことなく広告を適切に配信し、広告主の効果的な営業活動を支援する。【解決手段】本サーバ１０は、発信者端末２０のＩＰアドレスを含む呼接続要求情報の受信に応じて音声広告を抽出し、当該音声広告を発信者端末へ配信する。また、本サーバは、音声広告の配信完了に伴い配信完了情報を発信する。また、本サーバは、発信者端末と着信者端末３０との呼接続が確立したことを知らせる呼接続完了情報を受信した場合、音声広告の配信を停止する。次に、本サーバは、音声広告の配信の停止に応じ、配信完了情報の発信有無を判定する。その結果、本サーバは、配信完了情報の発信が無かった場合、音声広告の広告ＩＤに基づきメール広告を抽出すると共に、音声広告の配信先のＩＰアドレスに基づき連絡先情報を抽出する。そして、本サーバは、連絡先情報に基づきメール広告を該当する発信者に対して送信する。【選択図】図１
2008289107.tif 000002
【特許請求の範囲】
【請求項１】
音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、を接続する通信ネットワーク上に設けられ、前記発信者端末に対する広告情報の配信を支援するための装置であって、
前記発信者端末ごとに付与された通信端末識別情報と、前記発信者の連絡先情報と、を互いに関連付けて記憶する第一記憶手段、
音声信号によって配信する第一広告情報と、当該第一広告情報ごとに付与した広告識別情報と、を互いに関連付けて記憶する第二記憶手段、
前記第一広告情報に代わる第二広告情報と、前記広告識別情報と、を互いに関連付けて記憶する第三記憶手段、
前記発信者端末の通信端末識別情報を含む呼接続要求情報を前記接続装置より受信する呼接続要求情報受信手段、
前記呼接続要求情報受信手段での呼接続要求情報の受信に応じ、前記第二記憶手段を参照して所定の第一広告情報を抽出し、前記通信端末識別情報に基づき当該第一広告情報を前記発信者端末へ配信し、前記第一広告情報の配信完了に伴い配信完了情報を発信すると共に、前記発信者端末と前記着信者端末との呼接続が確立したことを知らせる呼接続完了情報を、前記発信者端末、前記着信者端末、前記接続装置のいずれかより受信した場合に、前記第一広告情報の配信を停止する第一広告情報配信制御手段、
前記第一広告情報配信制御手段での第一広告情報の配信の停止に応じ、前記配信完了情報の発信有無を判定する配信状況判定手段、
前記配信状況判定手段での判定の結果、前記配信完了情報の発信が無かった場合、前記第三記憶手段を参照して前記第一広告情報の広告識別情報に基づき第二広告情報を抽出し、さらに、前記第一記憶手段を参照して前記第一広告情報の配信先の通信端末識別情報に基づき連絡先情報を抽出し、当該連絡先情報に基づき前記第二広告情報を該当する発信者に対して送信する第二広告情報配信制御手段、
を少なくとも有していることを特徴とする広告配信装置。
【請求項２】
前記第一広告情報配信制御手段は、前記第一広告情報と共に、送信先情報を含む前記呼接続完了情報の送信指示を前記発信者端末へ送信することを特徴とする請求項１に記載の広告配信装置。
【請求項３】
前記呼接続要求情報受信手段は、前記呼接続要求情報として、前記着信者端末の通信端末識別情報をさらに受信し、
前記第一広告情報配信制御手段は、前記第一広告情報の前記発信者端末への配信に応じ、送信先情報を含む前記呼接続完了情報の送信指示を前記着信者端末へ送信することを特徴とする請求項１に記載の広告配信装置。
【請求項４】
前記第一広告情報配信制御手段は、前記第一広告情報の前記発信者端末への配信に応じ、前記呼接続完了情報の送信指示を前記接続装置へ送信することを特徴とする請求項１に記載の広告配信装置。
【請求項５】
前記第一記憶手段は、前記通信端末識別情報に関連付けて、広告情報の配信希望有無を示す広告配信申込情報を記憶し、
前記第一広告情報配信制御手段は、前記呼接続要求情報の受信に応じ、前記第一記憶手段を参照して前記通信端末識別情報に基づき前記広告配信申込情報の有無を判定し、その結果、前記第一記憶手段に前記広告配信申込情報が有であった場合、前記第一広告情報の抽出を実行することを特徴とする請求項１乃至４のいずれかに記載の広告配信装置。
【請求項６】
前記配信状況判定手段での判定の結果、前記配信完了情報の発信が有った場合、前記第一広告情報の配信先に対してインセンティブを発行し、前記配信先の通信端末識別情報に基づき前記インセンティブ情報を関連付けて前記第一記憶手段に記憶するインセンティブ発行手段、
をさらに有することを特徴とする請求項１乃至５のいずれかに記載の広告配信装置。
【請求項７】
前記第一広告情報配信制御手段は、前記第一広告情報の配信中又は呼接続中に当該第一広告情報に関連する詳細情報を要求する詳細資料請求情報を配信先の発信者端末より受信する、
ことを特徴とする請求項１乃至６のいずれかに記載の広告配信装置。
【請求項８】
前記第一記憶手段は、前記通信端末識別情報に関連付けて、広告配信申込情報として配信を希望する広告のカテゴリを指定する広告区分情報をさらに記憶し、
前記第二記憶手段は、前記広告識別情報に関連付けて、当該広告のカテゴリを示す広告区分情報をさらに記憶し、
前記第一広告情報配信制御手段は、前記呼接続要求情報の受信に応じ、前記第一記憶手段を参照して前記広告区分情報を抽出し、さらに前記第二記憶手段を参照して当該広告区分情報に基づき合致する広告区分情報である所定の第一広告情報を抽出する、
ことを特徴とする請求項１乃至７のいずれかに記載の広告配信装置。
【請求項９】
前記第二記憶手段は、前記広告識別情報に関連付けて、当該広告商品又は広告役務の提供場所を示す地域情報をさらに記憶し、
前記第一広告情報配信制御手段は、前記発信者端末の通信場所を示す地域情報を含む前記呼接続要求情報の受信に応じ、前記第二記憶手段を参照して前記地域情報に基づき合致する所定の第一広告情報を抽出する、
ことを特徴とする請求項１乃至８のいずれかに記載の広告配信装置。
【請求項１０】
前記第一広告情報配信制御手段は、前記第一広告情報の配信前に、第一広告情報の配信を許可するか否かを問う配信問合せ情報を配信予定先の発信者端末へ送信し、当該発信者端末より、第一広告情報の配信許可を示す配信許可情報を受信した場合に、所定の第一広告情報の抽出を行なう、
ことを特徴とする請求項１乃至９のいずれかに記載の広告配信装置。
【請求項１１】
音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、
前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備えた装置によって、
前記呼接続要求を行なった発信者端末に対する広告情報の配信を支援するための方法であって、
呼接続要求情報受信手段が、前記発信者端末の通信端末識別情報を含む呼接続要求情報を前記接続装置より受信するステップ、
第一広告情報配信制御手段が、前記呼接続要求情報受信手段での呼接続要求情報の受信に応じ、前記第二記憶手段を参照して所定の第一広告情報を抽出するステップ、
第一広告情報配信制御手段が、前記第一広告情報の抽出後、当該第一広告情報と共に、送信先情報を含む、前記発信者端末と前記着信者端末との呼接続が確立したことを知らせる呼接続完了情報の送信指示を、前記発信者端末の通信端末識別情報に基づき当該発信者端末へ配信するステップ、
第一広告情報配信制御手段が、前記第一広告情報の配信完了に伴い配信完了情報を発信するステップ、
第一広告情報配信制御手段が、前記呼接続完了情報を前記発信者端末より受信した場合に前記第一広告情報の配信を停止するステップ、
配信状況判定手段が、前記第一広告情報配信制御手段での第一広告情報の配信の停止に応じ、前記配信完了情報の発信有無を判定するステップ、
第二広告情報配信制御手段が、前記配信状況判定手段での判定の結果、前記配信完了情報の発信が無かった場合、前記第三記憶手段を参照して前記第一広告情報の広告識別情報に基づき第二広告情報を抽出するステップ、
第二広告情報配信制御手段が、前記第二広告情報の抽出後、前記第一記憶手段を参照して前記第一広告情報の配信先の通信端末識別情報に基づき連絡先情報を抽出するステップ、
第二広告情報配信制御手段が、前記連絡先情報に基づき前記第二広告情報を該当する発信者に対して送信するステップ、
を少なくとも有していることを特徴とする広告配信方法。
【請求項１２】
音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、
前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備えた装置によって、
前記呼接続要求を行なった発信者端末に対する広告情報の配信を支援するための方法であって、
呼接続要求情報受信手段が、前記発信者端末の通信端末識別情報及び前記着信者端末の通信端末識別情報を含む呼接続要求情報を前記接続装置より受信するステップ、
第一広告情報配信制御手段が、前記呼接続要求情報受信手段での呼接続要求情報の受信に応じ、前記第二記憶手段を参照して所定の第一広告情報を抽出するステップ、
第一広告情報配信制御手段が、前記第一広告情報の抽出後、前記発信者端末の通信端末識別情報に基づき当該第一広告情報を前記発信者端末へ配信するステップ、
第一広告情報配信制御手段が、前記第一広告情報の前記発信者端末への配信に応じて、送信先情報を含む、前記発信者端末と前記着信者端末との呼接続が確立したことを知らせる呼接続完了情報の送信指示を、前記着信者端末の通信端末識別情報に基づき当該着信者端末へ送信するステップ、
第一広告情報配信制御手段が、前記第一広告情報の配信完了に伴い配信完了情報を発信するステップ、
第一広告情報配信制御手段が、前記呼接続完了情報を前記着信者端末より受信した場合に前記第一広告情報の配信を停止するステップ、
配信状況判定手段が、前記第一広告情報配信制御手段での第一広告情報の配信の停止に応じ、前記配信完了情報の発信有無を判定するステップ、
第二広告情報配信制御手段が、前記配信状況判定手段での判定の結果、前記配信完了情報の発信が無かった場合、前記第三記憶手段を参照して前記第一広告情報の広告識別情報に基づき第二広告情報を抽出するステップ、
第二広告情報配信制御手段が、前記第二広告情報の抽出後、前記第一記憶手段を参照して前記第一広告情報の配信先の通信端末識別情報に基づき連絡先情報を抽出するステップ、
第二広告情報配信制御手段が、前記連絡先情報に基づき前記第二広告情報を該当する発信者に対して送信するステップ、
を少なくとも有していることを特徴とする広告配信方法。
【請求項１３】
音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、
前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備えた装置によって、
前記呼接続要求を行なった発信者端末に対する広告情報の配信を支援するための方法であって、
呼接続要求情報受信手段が、前記発信者端末の通信端末識別情報を含む呼接続要求情報を前記接続装置より受信するステップ、
第一広告情報配信制御手段が、前記呼接続要求情報受信手段での呼接続要求情報の受信に応じ、前記第二記憶手段を参照して所定の第一広告情報を抽出するステップ、
第一広告情報配信制御手段が、前記第一広告情報の抽出後、前記発信者端末の通信端末識別情報に基づき当該第一広告情報を前記発信者端末へ配信するステップ、
第一広告情報配信制御手段が、前記第一広告情報の前記発信者端末へ配信に応じて、前記発信者端末と前記着信者端末との呼接続が確立したことを知らせる呼接続完了情報の送信指示を、前記接続装置へ送信するステップ、
第一広告情報配信制御手段が、前記第一広告情報の配信完了に伴い配信完了情報を発信するステップ、
第一広告情報配信制御手段が、前記呼接続完了情報を前記接続装置より受信した場合に、前記第一広告情報の配信を停止するステップ、
配信状況判定手段が、前記第一広告情報配信制御手段での第一広告情報の配信の停止に応じ、前記配信完了情報の発信有無を判定するステップ、
第二広告情報配信制御手段が、前記配信状況判定手段での判定の結果、前記配信完了情報の発信が無かった場合、前記第三記憶手段を参照して前記第一広告情報の広告識別情報に基づき第二広告情報を抽出するステップ、
第二広告情報配信制御手段が、前記第二広告情報の抽出後、前記第一記憶手段を参照して前記第一広告情報の配信先の通信端末識別情報に基づき連絡先情報を抽出するステップ、
第二広告情報配信制御手段が、前記連絡先情報に基づき前記第二広告情報を該当する発信者に対して送信するステップ、
を少なくとも有していることを特徴とする広告配信方法。
【請求項１４】
音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、
前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備え、
前記呼接続要求を行なった発信者端末に対する広告情報の配信を支援することを実行させるためにコンピュータを、
前記発信者端末の通信端末識別情報を含む呼接続要求情報を前記接続装置より受信する手段、
前記呼接続要求情報の受信に応じ、前記第二記憶手段を参照して所定の第一広告情報を抽出し、当該第一広告情報と共に、送信先情報を含む、前記発信者端末と前記着信者端末との呼接続が確立したことを知らせる呼接続完了情報の送信指示を、前記発信者端末の通信端末識別情報に基づき当該発信者端末へ配信する手段、
前記第一広告情報の配信完了に伴い配信完了情報を発信し、前記呼接続完了情報を前記発信者端末より受信した場合に、前記第一広告情報の配信を停止する手段、
前記第一広告情報の配信の停止に応じ、前記配信完了情報の発信有無を判定する手段、
前記判定の結果、前記配信完了情報の発信が無かった場合、前記第三記憶手段を参照して前記第一広告情報の広告識別情報に基づき第二広告情報を抽出し、さらに、前記第一記憶手段を参照して前記第一広告情報の配信先の通信端末識別情報に基づき連絡先情報を抽出し、当該連絡先情報に基づき前記第二広告情報を該当する発信者に対して送信する手段、
として機能させることを特徴とする広告配信プログラム。
【請求項１５】
音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、
前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備え、
前記呼接続要求を行なった発信者端末に対する広告情報の配信を支援することを実行させるためにコンピュータを、
前記発信者端末の通信端末識別情報及び前記着信者端末の通信端末識別情報を含む呼接続要求情報を前記接続装置より受信する手段、
前記呼接続要求情報の受信に応じ、前記第二記憶手段を参照して所定の第一広告情報を抽出し、前記発信者端末の通信端末識別情報に基づき当該第一広告情報を前記発信者端末へ配信すると共に、送信先情報を含む、前記発信者端末と前記着信者端末との呼接続が確立したことを知らせる呼接続完了情報の送信指示を、前記着信者端末の通信端末識別情報に基づき当該着信者端末へ送信する手段、
前記第一広告情報の配信完了に伴い配信完了情報を発信し、前記呼接続完了情報を前記着信者端末より受信した場合に、前記第一広告情報の配信を停止する手段、
前記第一広告情報の配信の停止に応じ、前記配信完了情報の発信有無を判定する手段、
前記判定の結果、前記配信完了情報の発信が無かった場合、前記第三記憶手段を参照して前記第一広告情報の広告識別情報に基づき第二広告情報を抽出し、さらに、前記第一記憶手段を参照して前記第一広告情報の配信先の通信端末識別情報に基づき連絡先情報を抽出し、当該連絡先情報に基づき前記第二広告情報を該当する発信者に対して送信する手段、
として機能させることを特徴とする広告配信プログラム。
【請求項１６】
音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、
前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備え、
前記呼接続要求を行なった発信者端末に対する広告情報の配信を支援することを実行させるためにコンピュータを、
前記発信者端末の通信端末識別情報を含む呼接続要求情報を前記接続装置より受信する手段、
前記呼接続要求情報の受信に応じ、前記第二記憶手段を参照して所定の第一広告情報を抽出し、前記発信者端末の通信端末識別情報に基づき当該第一広告情報を前記発信者端末へ配信すると共に、前記発信者端末と前記着信者端末との呼接続が確立したことを知らせる呼接続完了情報の送信指示を、前記接続装置へ送信する手段、
前記第一広告情報の配信完了に伴い配信完了情報を発信し、前記呼接続完了情報を前記接続装置より受信した場合に、前記第一広告情報の配信を停止する手段、
前記第一広告情報の配信の停止に応じ、前記配信完了情報の発信有無を判定する手段、
前記判定の結果、前記配信完了情報の発信が無かった場合、前記第三記憶手段を参照して前記第一広告情報の広告識別情報に基づき第二広告情報を抽出し、さらに、前記第一記憶手段を参照して前記第一広告情報の配信先の通信端末識別情報に基づき連絡先情報を抽出し、当該連絡先情報に基づき前記第二広告情報を該当する発信者に対して送信する手段、
として機能させることを特徴とする広告配信プログラム。
【発明の詳細な説明】
【技術分野】
【０００１】
本発明は、通信ネットワークを介した音声信号の送受信を希望する発信者に対して行なう広告情報の配信を支援するようにした広告配信装置、広告配信方法、及び広告配信プログラムに係り、詳しくは、通信ネットワークにて広告の配信を希望する広告主の効果的な営業活動を支援するようにした技術に関するものである。
【背景技術】
【０００２】
近年、携帯電話機の急激な普及により、私たちの生活において電話の存在は不可欠なものとなっている。さらに、最近では、固定電話や携帯電話のように従来の電話回線を利用し、音声信号を流して通話する一般的な電話に加え、音声信号をパケットというデジタル化した小さなデータに分割し、インターネット回線等を利用してパケットデータを送受信することで通話を行なうようにしたＩＰ電話が普及し始めている。このＩＰ電話には、パーソナルコンピュータからパーソナルコンピュータにかけるタイプ、パーソナルコンピュータから電話機にかけるタイプ、電話機から電話機にかけるタイプなどがある。
【０００３】
そこで、このような固定電話網や携帯電話網、ＩＰ電話網といった各種電話網の高い普及率を背景として、電話回線網を利用した広告の配信技術が種々検討されている。たとえば、インターネット等の通信ネットワークを介した通話開始時に、通話が成立するまでの間、発信者側の電話機に出力されるリングバックトーン（ＲＢＴ）といった発信音に替えて、音声広告を配信するようにした手段が提案されている（たとえば、特許文献１乃至３参照）。
【０００４】
しかしながら、上述した特許文献に記載された手段では何れも、配信された広告情報は全部聴取されることを前提としており、以下のような様々な問題点を有している。たとえば、実際の通話において、発信者が配信されている広告情報を全部聴取する前に、着信者が応答してしまうことがある。その場合、広告主側からみれば、広告情報の配信に要する費用を負担するだけで、意図した告知を行なうことができないものとなってしまう。一方、配信されている広告情報を発信者が全部聴取するまで、着信者が応答することを強制的に規制するようにした場合、着信者に対して緊急な連絡があるとき等、配信された広告情報に対し却って悪い印象を与えてしまう虞がある。
【０００５】
したがって、広告主としてみれば、発信者と着信者との実際の通話に支障をきたすことなく、状況に応じて広告情報を効果的に配信することを望むものであるが、今のところ広告情報を全部配信するか、途中でも配信を停止してしまうこと以外に、状況に応じて適切な営業活動を行なうことができなかった。
【０００６】
【特許文献１】特表２００３−５２６２８４号公報
【特許文献２】特表２００３−５３５５０９号公報
【特許文献３】特開２００６−２５４５１２号公報
【発明の開示】
【発明が解決しようとする課題】
【０００７】
本発明は、上記事情に鑑みて成されたものであり、通信ネットワークを介した音声信号の送受信を希望する発信者側の通信端末に対し、通話開始時に通話が成立するまでの間、リングバックトーンに替えて音声広告を配信するようにした広告配信手段において、全部配信することができた広告情報と、途中で配信が停止されてしまった広告情報とで、その後の処理を適宜変えることにより、発信者と着信者との実際の通話に支障をきたすことなく広告情報を適切に配信し、広告主の効果的な営業活動を支援するようにした広告配信装置、広告配信方法、及び広告配信プログラムを提供することを目的とする。
【課題を解決するための手段】
【０００８】
本発明の広告配信支援装置は、音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、を接続する通信ネットワーク上に設けられ、前記発信者端末に対する広告情報の配信を支援するための装置であって、前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、前記発信者端末の通信端末識別情報を含む呼接続要求情報を前記接続装置より受信する呼接続要求情報受信手段、前記呼接続要求情報受信手段での呼接続要求情報の受信に応じ、前記第二記憶手段を参照して所定の第一広告情報を抽出し、前記通信端末識別情報に基づき当該第一広告情報を前記発信者端末へ配信し、前記第一広告情報の配信完了に伴い配信完了情報を発信すると共に、前記発信者端末と前記着信者端末との呼接続が確立したことを知らせる呼接続完了情報を、前記発信者端末、前記着信者端末、前記接続装置のいずれかより受信した場合に、前記第一広告情報の配信を停止する第一広告情報配信制御手段、前記第一広告情報配信制御手段での第一広告情報の配信の停止に応じ、前記配信完了情報の発信有無を判定する配信状況判定手段、前記配信状況判定手段での判定の結果、前記配信完了情報の発信が無かった場合、前記第三記憶手段を参照して前記第一広告情報の広告識別情報に基づき第二広告情報を抽出し、さらに、前記第一記憶手段を参照して前記第一広告情報の配信先の通信端末識別情報に基づき連絡先情報を抽出し、当該連絡先情報に基づき前記第二広告情報を該当する発信者に対して送信する第二広告情報配信制御手段、を少なくとも有していることを特徴とする。
【０００９】
また、本発明の広告配信支援装置は、前記第一広告情報配信制御手段が、前記第一広告情報と共に、送信先情報を含む前記呼接続完了情報の送信指示を前記発信者端末へ送信するものとしても良い。
【００１０】
また、本発明の広告配信支援装置は、前記呼接続要求情報受信手段が、前記呼接続要求情報として、前記着信者端末の通信端末識別情報をさらに受信し、前記第一広告情報配信制御手段は、前記第一広告情報の前記発信者端末への配信に応じ、送信先情報を含む前記呼接続完了情報の送信指示を前記着信者端末へ送信するものとしても良い。
【００１１】
また、本発明の広告配信支援装置は、前記第一広告情報配信制御手段が、前記第一広告情報の前記発信者端末への配信に応じ、前記呼接続完了情報の送信指示を前記接続装置へ送信するものとしても良い。
【００１２】
また、本発明の広告配信支援装置は、前記第一記憶手段が、前記通信端末識別情報に関連付けて、広告情報の配信希望有無を示す広告配信申込情報を記憶し、前記第一広告情報配信制御手段は、前記呼接続要求情報の受信に応じ、前記第一記憶手段を参照して前記通信端末識別情報に基づき前記広告配信申込情報の有無を判定し、その結果、前記第一記憶手段に前記広告配信申込情報が有であった場合、前記第一広告情報の抽出を実行するものとしても良い。
【００１３】
また、本発明の広告配信支援装置は、前記配信状況判定手段での判定の結果、前記配信完了情報の発信が有った場合、前記第一広告情報の配信先に対してインセンティブを発行し、前記配信先の通信端末識別情報に基づき前記インセンティブ情報を関連付けて前記第一記憶手段に記憶するインセンティブ発行手段、をさらに有するものとしても良い。
【００１４】
また、本発明の広告配信支援装置は、前記第一広告情報配信制御手段が、前記第一広告情報の配信中又は呼接続中に当該第一広告情報に関連する詳細情報を要求する詳細資料請求情報を配信先の発信者端末より受信するものとしても良い。
【００１５】
また、本発明の広告配信支援装置は、前記第一記憶手段が、前記通信端末識別情報に関連付けて、広告配信申込情報として配信を希望する広告のカテゴリを指定する広告区分情報をさらに記憶し、前記第二記憶手段が、前記広告識別情報に関連付けて、当該広告のカテゴリを示す広告区分情報をさらに記憶し、前記第一広告情報配信制御手段が、前記呼接続要求情報の受信に応じ、前記第一記憶手段を参照して前記広告区分情報を抽出し、さらに前記第二記憶手段を参照して当該広告区分情報に基づき合致する広告区分情報である所定の第一広告情報を抽出するものとしても良い。
【００１６】
また、本発明の広告配信支援装置は、前記第二記憶手段が、前記広告識別情報に関連付けて、当該広告商品又は広告役務の提供場所を示す地域情報をさらに記憶し、前記第一広告情報配信制御手段が、前記発信者端末の通信場所を示す地域情報を含む前記呼接続要求情報の受信に応じ、前記第二記憶手段を参照して前記地域情報に基づき合致する所定の第一広告情報を抽出するものとしても良い。
【００１７】
また、本発明の広告配信支援装置は、前記第一広告情報配信制御手段は、前記第一広告情報の配信前に、第一広告情報の配信を許可するか否かを問う配信問合せ情報を配信予定先の発信者端末へ送信し、当該発信者端末より、第一広告情報の配信許可を示す配信許可情報を受信した場合に、所定の第一広告情報の抽出を行なうものとしても良い。
【００１８】
また、本発明の広告配信支援方法は、音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備えた装置によって、前記呼接続要求を行なった発信者端末に対する広告情報の配信を支援するための方法であって、呼接続要求情報受信手段が、前記発信者端末の通信端末識別情報を含む呼接続要求情報を前記接続装置より受信するステップ、第一広告情報配信制御手段が、前記呼接続要求情報受信手段での呼接続要求情報の受信に応じ、前記第二記憶手段を参照して所定の第一広告情報を抽出するステップ、第一広告情報配信制御手段が、前記第一広告情報の抽出後、当該第一広告情報と共に、送信先情報を含む、前記発信者端末と前記着信者端末との呼接続が確立したことを知らせる呼接続完了情報の送信指示を、前記発信者端末の通信端末識別情報に基づき当該発信者端末へ配信するステップ、第一広告情報配信制御手段が、前記第一広告情報の配信完了に伴い配信完了情報を発信するステップ、第一広告情報配信制御手段が、前記呼接続完了情報を前記発信者端末より受信した場合に前記第一広告情報の配信を停止するステップ、配信状況判定手段が、前記第一広告情報配信制御手段での第一広告情報の配信の停止に応じ、前記配信完了情報の発信有無を判定するステップ、第二広告情報配信制御手段が、前記配信状況判定手段での判定の結果、前記配信完了情報の発信が無かった場合、前記第三記憶手段を参照して前記第一広告情報の広告識別情報に基づき第二広告情報を抽出するステップ、第二広告情報配信制御手段が、前記第二広告情報の抽出後、前記第一記憶手段を参照して前記第一広告情報の配信先の通信端末識別情報に基づき連絡先情報を抽出するステップ、第二広告情報配信制御手段が、前記連絡先情報に基づき前記第二広告情報を該当する発信者に対して送信するステップ、を少なくとも有していることを特徴とする。
【００１９】
また、本発明の広告配信支援方法は、音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備えた装置によって、前記呼接続要求を行なった発信者端末に対する広告情報の配信を支援するための方法であって、呼接続要求情報受信手段が、前記発信者端末の通信端末識別情報及び前記着信者端末の通信端末識別情報を含む呼接続要求情報を前記接続装置より受信するステップ、第一広告情報配信制御手段が、前記呼接続要求情報受信手段での呼接続要求情報の受信に応じ、前記第二記憶手段を参照して所定の第一広告情報を抽出するステップ、第一広告情報配信制御手段が、前記第一広告情報の抽出後、前記発信者端末の通信端末識別情報に基づき当該第一広告情報を前記発信者端末へ配信するステップ、第一広告情報配信制御手段が、前記第一広告情報の前記発信者端末への配信に応じて、送信先情報を含む、前記発信者端末と前記着信者端末との呼接続が確立したことを知らせる呼接続完了情報の送信指示を、前記着信者端末の通信端末識別情報に基づき当該着信者端末へ送信するステップ、第一広告情報配信制御手段が、前記第一広告情報の配信完了に伴い配信完了情報を発信するステップ、第一広告情報配信制御手段が、前記呼接続完了情報を前記着信者端末より受信した場合に前記第一広告情報の配信を停止するステップ、配信状況判定手段が、前記第一広告情報配信制御手段での第一広告情報の配信の停止に応じ、前記配信完了情報の発信有無を判定するステップ、第二広告情報配信制御手段が、前記配信状況判定手段での判定の結果、前記配信完了情報の発信が無かった場合、前記第三記憶手段を参照して前記第一広告情報の広告識別情報に基づき第二広告情報を抽出するステップ、第二広告情報配信制御手段が、前記第二広告情報の抽出後、前記第一記憶手段を参照して前記第一広告情報の配信先の通信端末識別情報に基づき連絡先情報を抽出するステップ、第二広告情報配信制御手段が、前記連絡先情報に基づき前記第二広告情報を該当する発信者に対して送信するステップ、を少なくとも有してなるものとしても良い。
【００２０】
また、本発明の広告配信支援方法は、音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備えた装置によって、前記呼接続要求を行なった発信者端末に対する広告情報の配信を支援するための方法であって、呼接続要求情報受信手段が、前記発信者端末の通信端末識別情報を含む呼接続要求情報を前記接続装置より受信するステップ、第一広告情報配信制御手段が、前記呼接続要求情報受信手段での呼接続要求情報の受信に応じ、前記第二記憶手段を参照して所定の第一広告情報を抽出するステップ、第一広告情報配信制御手段が、前記第一広告情報の抽出後、前記発信者端末の通信端末識別情報に基づき当該第一広告情報を前記発信者端末へ配信するステップ、第一広告情報配信制御手段が、前記第一広告情報の前記発信者端末へ配信に応じて、前記発信者端末と前記着信者端末との呼接続が確立したことを知らせる呼接続完了情報の送信指示を、前記接続装置へ送信するステップ、第一広告情報配信制御手段が、前記第一広告情報の配信完了に伴い配信完了情報を発信するステップ、第一広告情報配信制御手段が、前記呼接続完了情報を前記接続装置より受信した場合に、前記第一広告情報の配信を停止するステップ、配信状況判定手段が、前記第一広告情報配信制御手段での第一広告情報の配信の停止に応じ、前記配信完了情報の発信有無を判定するステップ、第二広告情報配信制御手段が、前記配信状況判定手段での判定の結果、前記配信完了情報の発信が無かった場合、前記第三記憶手段を参照して前記第一広告情報の広告識別情報に基づき第二広告情報を抽出するステップ、第二広告情報配信制御手段が、前記第二広告情報の抽出後、前記第一記憶手段を参照して前記第一広告情報の配信先の通信端末識別情報に基づき連絡先情報を抽出するステップ、第二広告情報配信制御手段が、前記連絡先情報に基づき前記第二広告情報を該当する発信者に対して送信するステップ、を少なくとも有してなるものとしても良い。
【００２１】
また、本発明の広告配信支援プログラムは、音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備え、前記呼接続要求を行なった発信者端末に対する広告情報の配信を支援することを実行させるためにコンピュータを、前記発信者端末の通信端末識別情報を含む呼接続要求情報を前記接続装置より受信する手段、前記呼接続要求情報の受信に応じ、前記第二記憶手段を参照して所定の第一広告情報を抽出し、当該第一広告情報と共に、送信先情報を含む、前記発信者端末と前記着信者端末との呼接続が確立したことを知らせる呼接続完了情報の送信指示を、前記発信者端末の通信端末識別情報に基づき当該発信者端末へ配信する手段、前記第一広告情報の配信完了に伴い配信完了情報を発信し、前記呼接続完了情報を前記発信者端末より受信した場合に、前記第一広告情報の配信を停止する手段、前記第一広告情報の配信の停止に応じ、前記配信完了情報の発信有無を判定する手段、前記判定の結果、前記配信完了情報の発信が無かった場合、前記第三記憶手段を参照して前記第一広告情報の広告識別情報に基づき第二広告情報を抽出し、さらに、前記第一記憶手段を参照して前記第一広告情報の配信先の通信端末識別情報に基づき連絡先情報を抽出し、当該連絡先情報に基づき前記第二広告情報を該当する発信者に対して送信する手段、として機能させることを特徴とする。
【００２２】
また、本発明の第二の広告配信支援プログラムは、音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備え、前記呼接続要求を行なった発信者端末に対する広告情報の配信を支援することを実行させるためにコンピュータを、前記発信者端末の通信端末識別情報及び前記着信者端末の通信端末識別情報を含む呼接続要求情報を前記接続装置より受信する手段、前記呼接続要求情報の受信に応じ、前記第二記憶手段を参照して所定の第一広告情報を抽出し、前記発信者端末の通信端末識別情報に基づき当該第一広告情報を前記発信者端末へ配信すると共に、送信先情報を含む、前記発信者端末と前記着信者端末との呼接続が確立したことを知らせる呼接続完了情報の送信指示を、前記着信者端末の通信端末識別情報に基づき当該着信者端末へ送信する手段、前記第一広告情報の配信完了に伴い配信完了情報を発信し、前記呼接続完了情報を前記着信者端末より受信した場合に、前記第一広告情報の配信を停止する手段、前記第一広告情報の配信の停止に応じ、前記配信完了情報の発信有無を判定する手段、前記判定の結果、前記配信完了情報の発信が無かった場合、前記第三記憶手段を参照して前記第一広告情報の広告識別情報に基づき第二広告情報を抽出し、さらに、前記第一記憶手段を参照して前記第一広告情報の配信先の通信端末識別情報に基づき連絡先情報を抽出し、当該連絡先情報に基づき前記第二広告情報を該当する発信者に対して送信する手段、として機能させるものとしても良い。
【００２３】
また、本発明の広告配信支援プログラムは、音声信号の送受信による通話を希望する発信者が利用する発信者端末と、前記発信者端末からの呼接続要求を受けて音声信号の送受信に応じる着信者が利用する着信者端末と、前記発信者端末と前記着信者端末との通話を制御する接続装置と、通信ネットワークを介して接続され、前記発信者端末ごとに付与された通信端末識別情報と、前記発信者の連絡先情報と、を互いに関連付けて記憶する第一記憶手段、音声信号によって配信する第一広告情報と、当該第一広告情報ごとに付与した広告識別情報と、を互いに関連付けて記憶する第二記憶手段、前記第一広告情報に代わる第二広告情報と、前記広告識別情報と、を互いに関連付けて記憶する第三記憶手段、を備え、前記呼接続要求を行なった発信者端末に対する広告情報の配信を支援することを実行させるためにコンピュータを、前記発信者端末の通信端末識別情報を含む呼接続要求情報を前記接続装置より受信する手段、前記呼接続要求情報の受信に応じ、前記第二記憶手段を参照して所定の第一広告情報を抽出し、前記発信者端末の通信端末識別情報に基づき当該第一広告情報を前記発信者端末へ配信すると共に、前記発信者端末と前記着信者端末との呼接続が確立したことを知らせる呼接続完了情報の送信指示を、前記接続装置へ送信する手段、前記第一広告情報の配信完了に伴い配信完了情報を発信し、前記呼接続完了情報を前記接続装置より受信した場合に、前記第一広告情報の配信を停止する手段、前記第一広告情報の配信の停止に応じ、前記配信完了情報の発信有無を判定する手段、前記判定の結果、前記配信完了情報の発信が無かった場合、前記第三記憶手段を参照して前記第一広告情報の広告識別情報に基づき第二広告情報を抽出し、さらに、前記第一記憶手段を参照して前記第一広告情報の配信先の通信端末識別情報に基づき連絡先情報を抽出し、当該連絡先情報に基づき前記第二広告情報を該当する発信者に対して送信する手段、として機能させるものとしても良い。
【発明の効果】
【００２４】
本発明の広告配信装置は、音声信号の送受信による通話を希望する発信者が利用する発信者端末の通信端末識別情報を含む呼接続要求情報を受信に応じ、所定の第一広告情報を抽出して前記発信者端末へ配信し、前記第一広告情報の配信完了に伴い配信完了情報を発信すると共に、前記発信者端末と前記着信者端末との呼接続が確立したことを知らせる呼接続完了情報を受信した場合に、前記第一広告情報の配信を停止する第一広告情報配信制御手段と、前記第一広告情報の配信の停止に応じて前記配信完了情報の発信有無を判定する配信状況判定手段と、前記判定の結果、配信完了情報の発信が無かった場合に、前記第一広告情報の広告識別情報に基づき当該第一広告情報に代わる第二広告情報を抽出すると共に、前記第一広告情報の配信先の通信端末識別情報に基づき連絡先情報を抽出し、前記第二広告情報を該当する発信者に対して送信する第二広告情報配信制御手段と、を少なくとも備える。
これにより、発信者が配信されている第一広告情報を全部聴取する前に、発信者端末と着信者端末との呼接続が確立した場合、発信者は、別途連絡先が指定された前記発信者端末もしくは他の通信端末にて、全部聴取することができなかった第一広告情報に代わる第二広告情報の送信を受けることになる。
ゆえに、広告主は、発信者に対して第一広告情報による告知を行なうことができなかったとしても、第一広告情報による告知を補完する第二広告情報の送信により意図した告知を担保することができる。また、発信者は、着信者に対する連絡に支障をきたすことなく、着信者との通話を優先的に可能とすることができると共に、全部聴取することができなかった第一広告情報に代わって第二広告情報による広告主の告知を受けることができる。
したがって、本発明では、通信ネットワークを介した音声信号の送受信を希望する発信者側の通信端末に対し、通話開始時に通話が成立するまでの間、リングバックトーンに替えて音声広告を配信するようにした広告配信手段において、全部配信することができた広告情報と、途中で配信が停止されてしまった広告情報とで、その後の処理を適宜変えることにより、発信者と着信者との実際の通話に支障をきたすことなく広告情報を適切に配信し、広告主の効果的な営業活動を支援するようにした広告配信装置、広告配信方法、及び広告配信プログラムを提供することができる。
【発明を実施するための最良の形態】
【００２５】
以下、図面を参照しながら、固定電話機や携帯電話機、ＩＰ電話機といった各種電話機を用いてのインターネット等の通信ネットワークを介した通話開始時に、通話が成立するまでの間、発信者側の電話機に出力されるリングバックトーン（ＲＢＴ）に替えて音声広告を配信するようにした広告情報の配信技術において、発信者と着信者との実際の通話に支障をきたすことなく、状況に応じて適切な広告情報の配信による効果的な営業活動を支援するようにした、本発明に係る広告配信装置と広告配信方法、及び広告配信プログラムの実施の形態について説明する。
【００２６】
図１は、本発明に係る広告配信装置（以下、「本サーバ」という。）の実施形態の一例を示すブロック図である。符号１０は本サーバを示す。
図１に示すように、本サーバ１０は、音声信号の送受信による通話を希望する発信者が利用する発信者端末２０（２０Ａ，２０Ｂ，２０Ｃ）と、この発信者端末２０からの呼接続要求を受けて音声信号の送受信に応じる着信者が利用する着信者端末３０（３０Ａ，３０Ｂ，３０Ｃ）と、前記発信者端末２０と前記着信者端末３０との通話を制御する接続装置４０と、を接続する通信ネットワークＮＷ上に設けられ、前記発信者端末２０に対する広告情報の配信を支援するための装置である。
【００２７】
通信ネットワークＮＷは、インターネットなどのＩＰ通信網である。本サーバ１０及び、発信者端末２０、着信者端末３０、接続装置４０は、ＬＡＮ（Local Area Network）や専用線、公衆交換電話網（ＰＳＴＮ）、無線電話網、ＣＡＴＶ網、衛星通信網等の通信回線を介して通信ネットワークＮＷと接続している。
【００２８】
発信者端末２０としては、ＩＰ電話装置２０Ａや固定電話機２０Ｂ、及びＩＰ携帯電話機２０Ｃが挙げられる。
ＩＰ電話装置２０Ａは、電話機能とコンピュータ機能とを備えた端末である。ＩＰ電話装置２０Ａは、互いに連携するＩＰ電話機とパーソナルコンピュータ（ＰＣ）から構成され、このパーソナルコンピュータ（ＰＣ）を使用して発信操作を行なう。また、ＩＰ電話装置２０Ａには、画像を入力するためのカメラが備えられていても良い。このようなＩＰ電話装置２０Ａは、ルータ５０を介してインターネット等のＩＰ網ＮＷに接続されている。
また、固定電話機２０Ｂは、一般に使用されているアナログ電話機又はＩＳＤＮ電話機である。固定電話機２０Ｂは、ＶｏＩＰ−ＴＡ６１及びルータ６０を介してインターネット等のＩＰ網ＮＷに接続されている。
さらに、ＩＰ携帯電話機２０Ｃは、ＩＰ電話機に無線通信機能を組み込み、ＩＰ基地局７０と無線で繋がっている持ち運び移動可能なコードレス電話機である。ＩＰ携帯電話機２０Ｃは、ＩＰ基地局７０を介してインターネット等のＩＰ網ＮＷに接続されている。すなわち、一般のＩＰ電話機がＬＡＮケーブルでＩＰ網ＮＷに接続されているのに対し、ＩＰ携帯電話機２０Ｃは無線ＬＡＮによってＩＰ網ＮＷに接続されている。
【００２９】
一方、着信者端末３０としては、ＩＰ電話装置３０Ａや固定電話機３０Ｂ、及びＩＰ携帯電話機３０Ｃが挙げられる。
ＩＰ電話装置３０Ａは、電話機能とコンピュータ機能とを備えた端末である。ＩＰ電話装置３０Ａは、互いに連携するＩＰ電話機とパーソナルコンピュータ（ＰＣ）から構成され、このパーソナルコンピュータ（ＰＣ）を使用して発信操作を行なう。また、ＩＰ電話装置３０Ａには、画像を入力するためのカメラが備えられていても良い。このようなＩＰ電話装置３０Ａは、ルータ８０を介してインターネット等のＩＰ網ＮＷに接続されている。
また、固定電話機３０Ｂは、一般に使用されているアナログ電話機又はＩＳＤＮ電話機である。固定電話機３０Ｂは、一般交換局（不図示）を介して公衆電話網ＰＳＴＮに接続されている。
さらに、携帯電話機３０Ｃは、基地局９１と無線で繋がっている持ち運び移動可能なコードレス電話機である。携帯電話機３０Ｃには、ＰＨＳも含まれる。携帯電話機３０Ｃは、基地局９１、中継交換局９０及び一般交換局（不図示）を介して公衆電話網ＰＳＴＮに接続されている。
【００３０】
接続装置４０は、発信者端末２０と着信者端末３０との間での着呼及び発呼、回線接続の制御といったセッション管理を行なうものであり、ＳＩＰサーバやＩＰ交換機をいう。また、接続装置４０は、プロキシサーバ機能とリダイレクト機能とを備える。
【００３１】
ルータ５０，６０，８０は、ＩＰ網を構成する機器であり、メディアコンバータを介してインターネット等のＩＰ網ＮＷに接続されている。ＩＰ網ＮＷへの接続には、たとえばＡＤＳＬやＦＴＴＨ等の高速伝送技術を用いて行なうことが出来る。
【００３２】
ＶｏＩＰ−ＴＡ６１は、一般に使用されているアナログ電話機をＩＰ電話機として利用可能とするＴＡタイプのＩＰ電話アダプタであり、アナログ音声信号をパケットデータに変換する。
【００３３】
ＩＰ基地局７０は、携帯電話インフラにおける交換機であり、無線ＬＡＮを利用してＩＰ網ＩＰＮＷに接続する。
【００３４】
ゲートウエイＧＷは、ＩＰ網ＮＷと公衆電話網ＰＳＴＮとを接続するための機能を備えた中継管理装置であり、デジタル符号化されている音声信号をアナログ音声信号に変換する処理を行う。
【００３５】
中継交換局９０は、基地局９１と一般交換局（不図示）の間にあって、基地局９１及び端末の制御を行う。
【００３６】
基地局９１は、端末（携帯電話機３０Ｃ）と中継交換局９０の間にあって、端末の制御を行う。
【００３７】
次に、本サーバ１０の構成について説明する。
本サーバ１０は、所謂コンテンツデータを配信する装置であり、例えば発信者情報記憶部ＤＢ１と、第一広告情報記憶部ＤＢ２と、第二広告情報記憶部ＤＢ３と、呼接続要求情報受信部１１と、第一広告情報配信制御部１２と、配信状況判定部１３と、第二広告情報配信制御部１４と、を少なくとも有している。また、本サーバ１０は、さらにインセンティブ発行部１５を有していても良い。
【００３８】
また、本サーバ１０は、図示しないが、ＣＰＵ（中央処理装置）やプログラム記憶部等を有する。ＣＰＵは、プログラム記憶部に記憶されたプログラムに従い、本サーバ１０の各構成要素を統制制御し、プログラム処理を実行する。プログラム記憶部は、ＲＯＭ（Read Only Memory）やＲＡＭ（Random Access Memory）等で構成され、本サーバ１０が使用する各種プログラムを記憶している。
【００３９】
なお、本サーバ１０では、本発明に係る広告配信プログラム（以下、「本プログラム」という。）が動作して本サーバ１０内の各手段を制御することで、以下に説明する広告配信方法（以下、「本方法」という。）を実現する。
また、本プログラムを記録したコンピュータ読取可能な記録媒体（以下、「本記録媒体」という。）を用いれば、図示しないコンピュータを本サーバ１０と同様に機能させることができる。すなわち、図示しないコンピュータが、本記録媒体から本プログラムを読み取り、それを実行することで、本方法を実現することができる。
【００４０】
発信者情報記憶部ＤＢ１は、発信者端末２０ごとに付与された通信端末識別情報（以下、「ＩＰアドレス」という。）と、発信者の連絡先情報と、を互いに関連付けて記憶する手段である。
また、発信者情報記憶部ＤＢ１は、前記ＩＰアドレスに関連付けて、広告情報の配信希望有無を示す広告配信申込情報をさらに記憶する手段である。
また、発信者情報記憶部ＤＢ１は、所定の条件の下、インセンティブ発行部１５にて発行されたインセンティブ（以下、「ポイント」という。）を、前記ＩＰアドレスに関連付けてさらに記憶する手段である。
また、発信者情報記憶部ＤＢ１は、前記ＩＰアドレスに関連付けて、広告配信申込情報として配信を希望する広告のカテゴリを指定する広告区分情報をさらに記憶する手段である。
図３は、発信者情報記憶部ＤＢ１に記憶されている情報の例を示す図である。
たとえば、図３に示す発信者情報データベースでは、ＩＰアドレスをインデックスとして、電子メールアドレスもしくはファクシミリ番号といった発信者の連絡先、広告配信申込情報の有無、広告区分、ポイント、を１レコードとしてデータベースを構成することを示している。
【００４１】
第一広告情報記憶部ＤＢ２は、音声信号によって配信する第一広告情報（以下、「音声広告」という。）と、当該第一広告情報ごとに付与した広告識別情報（以下、「広告ＩＤ」という。）と、を互いに関連付けて記憶する手段である。
また、第一広告情報記憶部ＤＢ２は、前記広告ＩＤに関連付けて、当該広告のカテゴリを示す広告区分情報をさらに記憶する手段である。
また、第一広告情報記憶部ＤＢ２は、前記広告ＩＤに関連付けて、当該広告商品又は広告役務の提供場所を示す地域情報をさらに記憶する手段である。
図４は、第一広告情報記憶部ＤＢ２に記憶されている情報の例を示す図である。
たとえば、図４に示す第一広告情報データベースでは、広告ＩＤをインデックスとして、音声広告、広告区分、地域情報、を１レコードとしてデータベースを構成することを示している。
【００４２】
第二広告情報記憶部ＤＢ３は、前記音声広告情報に代わる第二広告情報（以下、「メール広告」という。）と、前記広告識別情報と、を互いに関連付けて記憶する手段である。メール広告は、文字や画像、音声、又はこれらを適宜組み合わせてなるテキスト、イメージ、静止画、動画、もしくはＵＲＬ情報などの広告情報をいう。
図５は、第二広告情報記憶部ＤＢ３に記憶されている情報の例を示す図である。
たとえば、図５に示す第二広告情報データベースでは、広告ＩＤをインデックスとして、メール広告を１レコードとしてデータベースを構成することを示している。
【００４３】
呼接続要求情報受信部１１は、前記発信者端末２０のＩＰアドレスを含む呼接続要求情報を前記接続装置４０より受信する処理を行なう。
呼接続要求情報受信部１１では、呼接続要求情報を受信した旨を通知する情報を第一広告情報配信制御部１２へ送信する。
【００４４】
また、呼接続要求情報受信部１１は、前記呼接続要求情報として、前記着信者端末３０の通信端末識別情報をさらに受信する処理を行なうものとしても良い。
これにより後述するように、第一広告情報の配信に応じて前記発信者端末２０と前記着信者端末３０との呼接続が確立したことを知らせる呼接続完了情報を前記着信者端末３０から受信するための送信指示を前記着信者端末３０に対して行なうことが可能となり、前記第一広告情報の配信を停止することが可能となる。
【００４５】
第一広告情報配信制御部１２は、呼接続要求情報受信部１１での呼接続要求情報の受信に応じ、第一広告情報記憶部ＤＢ２を参照して所定の第一広告情報を抽出し、前記ＩＰアドレスに基づき当該第一広告情報を前記発信者端末２０へ配信し、前記第一広告情報の配信完了に伴い配信完了情報を発信すると共に、前記呼接続完了情報を、前記発信者端末２０、前記着信者端末３０、前記接続装置４０のいずれかより受信した場合に、前記第一広告情報の配信を停止する処理を行なう。
第一広告情報配信制御部１２は、第一広告情報の配信を停止した旨を通知する情報を配信状況判定部１３へ送信する。
【００４６】
この際、第一広告情報配信制御部１２は、例えば第一広告情報抽出部１２ｅと、第一広告情報配信部１２ｆと、配信完了情報発信部１２ｇと、呼接続完了情報受信部１２ｈと、第一広告情報配信停止部１２ｉと、を有する構成とすることができる。
すなわち、第一広告情報抽出部１２ｅは、呼接続要求情報受信部１１より、呼接続要求情報を受信した旨を通知する情報を受信すると、第一広告情報記憶部ＤＢ２を参照して所定の第一広告情報を抽出する。第一広告情報抽出部１２ｅは、第一広告情報を抽出した旨を第一広告情報配信部１２ｆへ通知する。引き続き、第一広告情報配信部１２ｆは、前記呼接続要求情報に含まれるＩＰアドレスに基づき当該第一広告情報を前記発信者端末２０へ配信する。また、配信完了情報発信部１２ｇは、前記第一広告情報の配信完了に伴い配信完了情報を発信する。また、呼接続完了情報受信部１２ｈは、前記発信者端末２０と前記着信者端末３０との呼接続が確立したことを知らせる呼接続完了情報を、前記発信者端末２０、前記着信者端末３０、前記接続装置４０のいずれかより受信する。呼接続完了情報受信部１２ｈは、呼接続完了情報を受信した旨を第一広告情報配信停止部１２ｉへ通知する。そして、第一広告情報配信停止部１２ｉは、前記第一広告情報の配信を停止し、第一広告情報の配信を停止した旨を通知する情報を配信状況判定部１３へ送信する。
なお、第一広告情報抽出部１２ｅは、同じ広告は二度と抽出しないように、もしくは音楽を伴う軽快な短いラジオ広告のような場合は、記憶に刷り込まれるように意図的に何度も抽出するものとしても良い。
【００４７】
また、第一広告情報配信制御部１２は、前記第一広告情報と共に、当該第一広告情報配信制御部１２への送信先情報を含む前記呼接続完了情報の送信指示を前記発信者端末２０へ送信する処理を行なうものとしても良い。
この場合、第一広告情報配信制御部１２は、例えば送信指示情報送信部１２ｊをさらに有する構成とすることができる。
すなわち、送信指示情報送信部１２ｊは、第一広告情報配信部１２ｆによる第一広告情報の発信者端末２０への配信に伴い、当該第一広告情報配信制御部１２（呼接続完了情報受信部１２ｈ）への送信先情報を含む前記呼接続完了情報の送信指示を前記発信者端末２０へ送信する。
これにより、第一広告情報の配信と共に前記呼接続完了情報を発信者端末２０から受信するための送信指示を前記発信者端末２０に対して行なうことが可能となり、前記第一広告情報の配信を停止することが可能となる。
【００４８】
また、第一広告情報配信制御部１２は、前記第一広告情報の前記発信者端末２０への配信に応じ、当該第一広告情報配信制御部１２への送信先情報を含む前記呼接続完了情報の送信指示を前記着信者端末３０へ送信する処理を行なうものとしても良い。
この場合、第一広告情報配信制御部１２は、例えば送信指示情報送信部１２ｊをさらに有する構成とすることができる。
すなわち、送信指示情報送信部１２ｊは、第一広告情報配信部１２ｆによる第一広告情報の発信者端末２０への配信に応じ、当該第一広告情報配信制御部１２（呼接続完了情報受信部１２ｈ）への送信先情報を含む前記呼接続完了情報の送信指示を前記着信者端末３０へ送信する。
これにより前述したように、第一広告情報の配信に応じて前記呼接続完了情報を着信者端末３０から受信するための送信指示を前記着信者端末３０に対して行なうことが可能となり、前記第一広告情報の配信を停止することが可能となる。
【００４９】
また、第一広告情報配信制御部１２は、前記第一広告情報の前記発信者端末２０への配信に応じ、前記呼接続完了情報の送信指示を前記接続装置４０へ送信する処理を行なうものとしても良い。
この場合、第一広告情報配信制御部１２は、例えば送信指示情報送信部１２ｊをさらに有する構成とすることができる。
すなわち、送信指示情報送信部１２ｊは、第一広告情報配信部１２ｆによる第一広告情報の発信者端末２０への配信に応じ、前記呼接続完了情報の送信指示を前記接続装置４０へ送信する。
これにより、第一広告情報の配信に応じて前記呼接続完了情報を接続装置４０から受信するための送信指示を前記接続装置４０に対して行なうことが可能となり、前記第一広告情報の配信を停止することが可能となる。
【００５０】
また、第一広告情報配信制御部１２は、前記呼接続要求情報の受信に応じ、発信者情報記憶部ＤＢ１を参照して前記ＩＰアドレスに基づき前記広告配信申込情報の有無を判定し、その結果、前記発信者情報記憶部ＤＢ１に前記広告配信申込情報が有であった場合、前記第一広告情報の抽出を実行する処理を行なうものとしても良い。
この場合、第一広告情報配信制御部１２は、例えば広告配信情報有無判定部１２ａをさらに有する構成とすることができる。
すなわち、広告配信情報有無判定部１２ａは、呼接続要求情報受信部１１より、呼接続要求情報を受信した旨を通知する情報を受信すると、発信者情報記憶部ＤＢ１を参照して前記ＩＰアドレスに基づき前記広告配信申込情報の有無を判定し、その結果、前記発信者情報記憶部ＤＢ１に前記広告配信申込情報が有であった場合、その旨を第一広告情報抽出部１２ｅへ通知する。
これにより、本人の意思によって広告配信を申し込んだ発信者に対してのみ、本システムを適用し、発信者の着信者に対する連絡に対して何ら支障をきたすことなく、広告主が意図した告知を担保することができるものとなる。
【００５１】
また、第一広告情報配信制御部１２は、前記第一広告情報の配信中又は呼接続中に当該第一広告情報に関連する詳細情報を要求する詳細資料請求情報を配信先の発信者端末より受信する処理を行なうものとしても良い。
この場合、第一広告情報配信制御部１２は、例えば詳細資料請求情報受信部１２ｋをさらに有する構成とすることができる。
すなわち、詳細資料請求情報受信部１２ｋは、前記第一広告情報の配信中に当該第一広告情報に関連する詳細情報又は呼接続中に前記第一広告情報に関連する詳細情報を要求する詳細資料請求情報を配信先の発信者端末２０より受信する。詳細資料請求情報受信部１２において詳細資料請求情報が受信されると、別途詳細資料請求情報を当該発信者端末２０へ自動的に送信するようにしても良いし、郵送等にて送付するようにしても良い。
これにより、広告情報の配信中又は呼接続中に、その広告に関する詳細情報を要求する意思表意に代えた情報として、当該発信者が発信者端末２０において「＊」ボタンや「＃」ボタンなど押したことにより発する信号を、詳細資料請求情報として受信することで、広告主が意図した告知による効果を担保することができるものとなり、当該発信者に対して、一般の発信者とは差別化した特別なサービスを手当てすることが可能となる。
【００５２】
また、第一広告情報配信制御部１２は、前記呼接続要求情報の受信に応じ、発信者情報記憶部ＤＢ１を参照して前記広告区分情報を抽出し、さらに第一広告情報記憶部ＤＢ２を参照して当該広告区分情報に基づき合致する広告区分情報である所定の第一広告情報を抽出する処理を行なうものとしても良い。
この場合、第一広告情報配信制御部１２は、例えば第一広告区分情報抽出部１２ｄをさらに有する構成とすることができる。
すなわち、第一広告区分情報抽出部１２ｄは、広告配信情報有無判定部１２ａより広告配信申込情報が有であった旨の通知を受けたり、又は呼接続要求情報受信部１１より呼接続要求情報を受信した旨を通知する情報を受信したり、もしくは後述する配信許可情報受信部より配信許可情報を受信した旨の通知を受けた場合に、発信者情報記憶部ＤＢ１を参照して広告区分情報を抽出し、抽出した当該広告区分情報を第一広告情報抽出部１２ｅへ通知する。
これにより、通話を希望する発信者の属性に沿った広告情報の配信が可能となり、広告主が意図した告知を一層効果的に担保することができるものとなる。なお、この広告区分情報には、広告配信を申し込む際に登録した、年齢や性別といった発信者の属性を含めるものとしても良い。
【００５３】
また、第一広告情報配信制御部１２は、前記発信者端末２０の通信場所を示す地域情報を含む前記呼接続要求情報の受信に応じ、第一広告情報記憶部ＤＢ２を参照して前記地域情報に基づき合致する所定の第一広告情報を抽出する処理を行なうものとしても良い。
この場合、第一広告情報配信制御部１２では、第一広告情報抽出部１２ｅが、前記呼接続要求情報に含まれている地域情報を検索し、この地域情報に基づいて合致する所定の第一広告情報を抽出する。
これにより、通話を希望する発信者の環境に応じた特定の地域のローカル広告情報の配信が可能となり、広告主が意図した告知を一層効果的に担保することができるものとなる。
【００５４】
さらに、第一広告情報配信制御部１２は、前記第一広告情報の配信前に、第一広告情報の配信を許可するか否かを問う配信問合せ情報を配信予定先の発信者端末２０へ送信し、当該発信者端末２０より、第一広告情報の配信許可を示す配信許可情報を受信した場合に、所定の第一広告情報の抽出を行なうものとしても良い。
この場合、第一広告情報配信制御部１２は、例えば配信問合せ情報送信部１２ｂと、配信許可情報受信部１２ｃと、をさらに有する構成とすることができる。
すなわち、配信問合せ情報送信部１２ｂは、呼接続要求情報受信部１１より、呼接続要求情報を受信した旨を通知する情報を受信すると、第一広告情報の配信を許可するか否かを問う配信問合せ情報を配信予定先の発信者端末２０へ送信する。そして、配信許可情報受信部１２ｃは、当該発信者端末２０より、第一広告情報の配信許可を示す配信許可情報を受信した場合に、その旨を第一広告情報抽出部１２ｅへ通知する。
これにより、広告情報の配信前に、今回は広告情報の配信を許可するか否かを問う、所謂ガイダンスを流し、ガイダンスの配信途中で当該発信者が発信者端末２０において「＊」ボタンや「＃」ボタンなど押したことにより発する信号を、配信許可情報もしくは配信拒否情報として受信することで、通話を希望する発信者の緊急性やその意思によって個別に広告情報の配信を拒否することが可能となり、発信者の着信者に対する連絡に対して支障をきたすことの無いものとすることができる。
【００５５】
配信状況判定部１３は、第一広告情報配信制御部１２での第一広告情報の配信の停止に応じ、前記配信完了情報の発信有無を判定する処理を行なう。
配信状況判定部１３では、判定の結果情報を第二広告情報配信制御部１４へ送信する。
また、配信状況判定部１３では、判定の結果情報をインセンティブ発行部１５へも送信する。
【００５６】
第二広告情報配信制御部１４は、配信状況判定部１３での判定の結果、前記配信完了情報の発信が無かった場合、第二広告情報記憶部ＤＢ３を参照して前記第一広告情報の広告ＩＤに基づき第二広告情報を抽出し、さらに、発信者情報記憶部ＤＢ１を参照して前記第一広告情報の配信先のＩＰアドレスに基づき連絡先情報を抽出し、当該連絡先情報に基づき前記第二広告情報を該当する発信者に対して送信する処理を行なう。
【００５７】
この際、第二広告情報配信制御部１４は、例えば第二広告情報抽出部１４ａと、連絡先情報抽出部１４ｂと、第二広告情報送信部１４ｃと、を有する構成とすることができる。
すなわち、第二広告情報抽出部１４ａは、配信状況判定部１３より、配信完了情報の発信が無かった旨を通知する情報を受信した場合、第二広告情報記憶部ＤＢ３を参照して前記第一広告情報の広告ＩＤに基づき第二広告情報を抽出する。また、連絡先情報抽出部１４ｂは、前記第二広告情報抽出部１４ａでの第二広告情報の抽出に応じ、発信者情報記憶部ＤＢ１を参照して前記第一広告情報の配信先のＩＰアドレスに基づき連絡先情報を抽出する。そして、第二広告情報送信部１４ｃは、前記第二広告情報抽出部１４ａでの第二広告情報の抽出、及び前記連絡先情報抽出部１４ｂでの連絡先情報の抽出に応じ、当該連絡先情報に基づき前記第二広告情報を該当する発信者に対して送信する。
これにより、音声広告の配信途中で呼接続が確立（通話が開始）したことにより、発信者に対して音声広告による告知が中途半端なものとなったとしても、全部聴取することができなかった音声広告による告知を補完するメール広告を送信することで、広告主に対して悪い印象を与えてしまうこと無く、広告主が意図する広告情報による告知を担保することができるものとなる。
また、第二広告情報送信部１４ｃは、第二広告情報を直ちに発信者に対して送信するのではなく、第二広告情報の内容に応じて送信のタイミングを適宜調整するようにしても良い。
【００５８】
インセンティブ発行部１５は、配信状況判定部１３での判定の結果、前記配信完了情報の発信が有った場合、前記第一広告情報の配信先に対してインセンティブを発行し、前記配信先のＩＰアドレスに基づき前記インセンティブ情報を関連付けて発信者情報記憶部ＤＢ１に記憶する処理を行なう。
これにより、発信者が音声広告を全部聴取した場合、前記メール広告は配信されず、発信者が音声広告を全部聴取してくれた場合のメリットを設けて、より多くの広告情報の配信を促すものとすることが出来る。
また、インセンティブ発行部１５は、第二広告情報送信部１４ｃでの第二広告情報の発信者に対する送信に伴い、発信者が第二広告情報であるメール広告を確認したものと見做してインセンティブを発行し、発信者情報記憶部ＤＢ１に記憶する処理を行なうものとしても良い。したがって、第二広告情報送信部１４ｃは、第二広告情報の発信者に対する送信に応じ、その旨をインセンティブ発行部１５へ通知する。
【００５９】
次に、図１に示した本サーバ１０により実行される方法の一例を図６及び図７に基づき説明する。図６及び図７は、以上のように構成された本発明の実施形態に係る本サーバ１０における処理の流れを示すシーケンス図である。本実施形態では、発信者端末２０がＩＰ電話装置２０Ａであり、着信者端末３０がＩＰ電話装置３０Ａであって、通信ネットワークを介した通話開始時に、通話が成立するまでの間、発信者端末３０の電話機に出力されるリングバックトーンに替えて配信するようにした広告情報を、状況に応じて適切に配信するようにした場合について説明する。
【００６０】
まず、本サーバ１０は、広告情報の配信に先立ち、予め広告情報を聴取する発信者に対して連絡先情報の入力を求め、受け取った連絡先情報を、発信者端末２０のＩＰアドレスと互いに関連付けて発信者情報記憶部ＤＢ１に記憶しておく（（Ａ１）参照）。
また、本サーバ１０は、広告情報の配信に先立ち、予め配信する音声広告の広告主に対して配信する音声広告情報の入力を求め、受け取った音声広告情報を、音声広告ごとに付与した広告ＩＤと互いに関連付けて第一広告情報記憶部ＤＢ２に記憶しておく（（Ｂ１）参照）。
さらに、本サーバ１０は、広告情報の配信に先立ち、予め配信する音声広告の広告主に対して前記音声広告に代わるメール広告情報の入力を求め、受け取ったメール広告を、前記音声広告ごとに付与した広告ＩＤと互いに関連付けて第二広告情報記憶部ＤＢ３に記憶しておく（（Ｃ）参照）。
【００６１】
そして、発信者は発信者側ＩＰ電話装置２０Ａを起動し、着信者側ＩＰ電話装置３０Ａの電話番号を入力して着信者との通話を希望する操作を行なう。そうすると、発信者側ＩＰ電話装置２０Ａは、入力された電話番号への接続を確立するため、通話希望情報をＳＩＰサーバ４０へ送信する（（１０）参照）。
ＳＩＰサーバ４０は、発信者側ＩＰ電話装置２０Ａより送信された通話希望情報を受信し、前記電話番号より着信者側ＩＰ電話装置３０ＡのＩＰアドレスを検索すると共に、着信者側ＩＰ電話装置３０Ａがオンフックであるか（すなわち、話し中でないか）状態を確認する（（２０）参照）。
引き続き、ＳＩＰサーバ４０は、着信者側ＩＰ電話装置３０Ａが通話受け入れ可能である（オンフックである）場合、発信者側ＩＰ電話装置２０Ａからの通話希望情報を着信者側ＩＰ電話装置３０Ａへ送信する（（３０Ａ）参照）と共に、発信者側ＩＰ電話装置２０ＡのＩＰアドレスを含む呼接続要求情報を本サーバ１０へ送信する（（３０Ｂ）参照）。なお、発信者側ＩＰ電話装置２０Ａは、発信者が発信者側ＩＰ電話装置２０Ａの電源を入れることにより立ち上げに伴い、事前に自分の電話番号とＩＰアドレスをＳＩＰサーバ４０へ送信（登録）するものとしても良い。これにより、ＳＩＰサーバ４０は発信者側ＩＰ電話装置２０Ａの電話番号が判ればＩＰアドレスを特定することが可能となり、前記呼接続要求情報に発信者側ＩＰ電話装置２０ＡのＩＰアドレスを含めることを省略することが出来る。
【００６２】
着信者側ＩＰ電話装置３０Ａは、発信者側ＩＰ電話装置２０Ａから送信された通話希望情報を受信すると、ベルを鳴らして（発呼して）着信者を呼び出す（（４０Ａ）参照）。
一方、本サーバ１０は、発信者側ＩＰ電話装置２０Ａから送信された呼接続要求情報を受信すると（（４０Ｂ）参照）、第一広告情報記憶部ＤＢ２を参照して所定の音声広告情報を抽出する（（５０Ａ）参照）。
次いで、本サーバ１０は、受信した呼接続要求情報に含まれる発信者側ＩＰ電話装置２０ＡのＩＰアドレスに基づき、前記音声広告情報を該当する発信者側ＩＰ電話装置２０Ａへ配信する（（６０Ａ）参照）。この際、発信者側ＩＰ電話装置２０Ａ又は信者側ＩＰ電話装置３０ＡもしくはＳＩＰサーバ４０のいずれかに対し、前記発信者側ＩＰ電話装置２０Ａと前記信者側ＩＰ電話装置３０Ａとの呼接続が確立した場合に、そのことを本サーバ１０に対して知らせる呼接続完了情報の送信指示を行なう（（６０Ｂ）参照）。
【００６３】
発信者側ＩＰ電話装置２０Ａは、本サーバ１０から送信された音声広告情報を受信することで、着信者が接続応答するまでの間、音声広告情報を聴取する（（７０）参照）。
また、本サーバ１０は、着信者が接続応答するまでの間に前記音声広告情報の配信が完了した場合には、配信完了情報を発信する（（８０）参照）。
【００６４】
次いで、着信者側ＩＰ電話装置３０Ａは、着信者がオフフックすると、接続応答情報をＳＩＰサーバ４０へ送信し、ＳＩＰサーバ４０は、接続応答情報をさらに発信者側ＩＰ電話機２０Ａへ送信する（（９０Ａ）参照）。
また、ＳＩＰサーバ４０は、着信者側ＩＰ電話装置３０Ａより接続応答情報を受信する（（１００Ａ）参照）。
さらに、発信者側ＩＰ電話機２０Ａは、ＳＩＰサーバ４０より接続応答情報を受信する（（１１０Ａ）参照）。
これにより、発信者側ＩＰ電話機２０Ａと着信者側ＩＰ電話装置３０Ａとの間で接続が確立する。
なお、着信者側ＩＰ電話装置３０Ａは、本サーバ１０より呼接続完了情報の送信指示を受けていた場合、呼接続完了情報を本サーバ１０へ送信する（（９０Ｂ）参照）。
また、ＳＩＰサーバ４０は、本サーバ１０より呼接続完了情報の送信指示を受けていた場合、呼接続完了情報を本サーバ１０へ送信する（（１００Ｂ）参照）。
さらに、発信者側ＩＰ電話機２０Ａは、本サーバ１０より呼接続完了情報の送信指示を受けていた場合、呼接続完了情報を本サーバ１０へ送信する（（１１０Ｂ）参照）。
【００６５】
そして、本サーバ１０は、着信者側ＩＰ電話装置３０Ａ、ＳＩＰサーバ４０、発信者側ＩＰ電話機２０Ａのいずれかより呼接続完了情報を受信する（（１２０）参照）。
引き続き本サーバ１０は、前記呼接続完了情報の受信に応じて、配信中の音声広告情報の配信を停止する（（１３０）参照）。
また、本サーバ１０は、音声広告情報の配信の停止に応じて、当該音声広告情報に関する配信完了情報の発信有無を判定する（（１４０）参照）。
【００６６】
その結果、本サーバ１０は、前記配信完了情報の発信が無かった場合、第二広告情報記憶部ＤＢ３を参照して前記音声広告情報の広告ＩＤに基づきメール広告を抽出する（（１５０Ａ）参照）。
引き続き本サーバ１０は、発信者情報記憶部ＤＢ１を参照して前記音声広告情報の配信先のＩＰアドレスに基づき該当する発信者の連絡先情報（たとえば、メールアドレス）を抽出する（（１６０）参照）。
そして、本サーバ１０は、前記連絡先情報に基づいて前記メール広告情報を送信する（（１７０）参照）。
その後、発信者側ＩＰ電話機２０Ａでは、前記メール広告情報を受信し、閲覧を行なう（（１８０）参照）。
【００６７】
なお、メール広告配信は、ファクシミリ通信にて行っても良い。ファクシミリ通信は、所謂インターネットファクシミリと称されるものであり、メール広告情報をゲートウエイサーバに送信することにより行なう。このゲートウエイサーバは、発信者側ＩＰ電話機２０Ａが接続するＩＰ網ＮＷと、着信者側のファクシミリ端末（不図示）が接続する公衆電話網ＰＳＴＮとの間に介在し、ＩＰ網ＮＷを介して送信されてくるメール広告情報のファイル形式をファクシミリ画像に変換して公衆電話網ＰＳＴＮへ送信する。
【００６８】
また、上記実施形態では、発信者側ＩＰ電話装置２０Ａから送信された呼接続要求情報の受信後、直ちに所定の音声広告情報を抽出するものとしたが、発信者の希望に応じて音声広告情報の配信有無を調整するものとしても良い。
図８は、前記本サーバ１０における他の処理の流れを示すシーケンス図である。
以下、図８に基づき、上記実施形態と異なる点を中心に説明する。
まず、本サーバ１０は、広告情報の配信に先立ち、予め広告情報の聴取（配信）を希望する発信者に対して広告配信申込情報の入力を求め、受け取った広告配信申込情報を、発信者端末２０のＩＰアドレスと互いに関連付けて発信者情報記憶部ＤＢ１に記憶しておく（（Ａ２）参照）。
【００６９】
また、発信者側ＩＰ電話装置２０Ａによる通話希望情報のＳＩＰサーバ４０への送信（（１０）参照）、通話希望情報を受信したＳＩＰサーバ４０による着信者側ＩＰ電話装置３０Ａの状態確認（（２０）参照）、ＳＩＰサーバ４０による通話希望情報の着信者側ＩＰ電話装置３０Ａへの送信（（３０Ａ）参照）、ＳＩＰサーバ４０による呼接続要求情報の本サーバ１０への送信（（３０Ｂ）参照）、着信者側ＩＰ電話装置３０Ａの通話希望情報の受信（（４０Ａ）参照）、及び本サーバ１０の呼接続要求情報の受信（（４０Ｂ）参照）までは、上記実施形態と同じである。
【００７０】
そして、本実施形態では、本サーバ１０は、発信者側ＩＰ電話装置２０Ａから送信された呼接続要求情報を受信すると、広告配信申込情報の有無を記憶する第一広告情報記憶部ＤＢ２を参照してＩＰアドレスに基づき前記広告配信申込情報の有無を判定する（（４１）参照）。
その結果、前記第一広告情報記憶部ＤＢ２に広告配信申込情報が有った場合に、その中から所定の音声広告情報の抽出を実行する（（５０Ｂ）参照）。
なお、その後の処理の流れは、上記実施形態と同じである。
【００７１】
また、上記実施形態では、音声広告情報の配信に伴う配信完了情報の発信有無の判定において、配信完了情報の発信が無かった場合について規定するものしたが、配信完了情報の発信が有った場合について規定するものとしても良い。
図９は、前記本サーバ１０における他の処理の流れを示すシーケンス図である。
以下、図９に基づき、上記実施形態と異なる点を中心に説明する。
まず、本サーバ１０が、音声広告情報の配信の停止に応じて、当該音声広告情報に関する配信完了情報の発信有無を判定する（（１４０）参照）までは、上記実施形態と同じである。
【００７２】
そして、本実施形態では、本サーバ１０は、前記配信完了情報の発信が有った場合、音声広告情報の配信先の発信者に対してインセンティブとしてポイントを発行する（１５０Ｂ）参照）。このポイントは、たとえば発信者の通話料の一部を補うために使用することが可能な有価ポイントとすることができる。
その後、本サーバ１０は、発行されたポイントを、前記配信先のＩＰアドレスに基づき前記発信者情報記憶部ＤＢ１に記憶する（（１５１）参照）。
【００７３】
また、上記実施形態では、発信者側ＩＰ電話装置２０Ａから送信された呼接続要求情報の受信後、直ちに所定の音声広告情報を抽出するものや、広告配信申込情報の有無を判定して前記広告配信申込情報が有った場合に、その中から所定の音声広告情報の抽出を実行するものとしたが、音声広告情報の抽出に任意の条件を加えるのとしても良い。
図１０及び図１１は、前記本サーバ１０における他の処理の流れをそれぞれ示すシーケンス図である。
以下、図１０及び図１１に基づき、上記実施形態と異なる点を中心に説明する。
まず、図１０に示す実施形態は、音声広告情報の抽出条件として、配信を希望する広告のカテゴリを指定するようにしたものである。
本サーバ１０は、音声広告情報の抽出に先立ち、予め配信を希望する広告のカテゴリを指定する広告区分情報の入力を求め、受け取った広告区分情報を、発信者端末２０のＩＰアドレスと互いに関連付けて発信者情報記憶部ＤＢ１に記憶しておく（（Ａ３）参照）。
また、本サーバ１０は、音声広告情報の抽出に先立ち、当該広告の属するカテゴリを示す広告区分情報を、前記広告ＩＤと互いに関連付けて第一広告情報記憶部ＤＢ２に記憶しておく（（Ｂ２）参照）。
また、本サーバ１０の呼接続要求情報の受信（（４０Ｂ）参照）までは、上記実施形態と同じである。
【００７４】
そして、本実施形態では、本サーバ１０は、発信者側ＩＰ電話装置２０Ａから送信された呼接続要求情報を受信すると、広告配信申込情報の有無を記憶する第一広告情報記憶部ＤＢ２を参照してＩＰアドレスに基づき前記広告配信申込情報の有無を判定する（（４１）参照）。
その結果、本サーバ１０は、前記第一広告情報記憶部ＤＢ２に広告配信申込情報が有った場合に、上記発信者情報記憶部ＤＢ１を参照してＩＰアドレスに基づき広告区分情報を抽出する（（４６Ａ）参照）。
さらに、本サーバ１０は、上記第一広告情報記憶部ＤＢ２を参照して当該広告区分情報に基づき合致する所定の音声広告情報の抽出を実行する（（５０Ｃ）参照）。
なお、その後の処理の流れは、上記実施形態と同じである。
【００７５】
一方、図１１に示す実施形態は、音声広告情報の抽出条件として、配信を希望する広告が対象とする商品又は役務の提供場所を指定するようにしたものである。
本サーバ１０は、音声広告情報の抽出に先立ち、予め配信を希望する広告が対象とする商品又は役務の提供場所を指定する地域情報の入力を求め、受け取った地域情報を、前記広告ＩＤと互いに関連付けて第一広告情報記憶部ＤＢ２に記憶しておく（（Ｂ３）参照）。
また、本サーバ１０の呼接続要求情報の受信（（４０Ｂ）参照）までは、上記実施形態と同じである。
【００７６】
そして、本実施形態では、本サーバ１０は、発信者側ＩＰ電話装置２０Ａから送信された呼接続要求情報を受信すると、広告配信申込情報の有無を記憶する第一広告情報記憶部ＤＢ２を参照してＩＰアドレスに基づき前記広告配信申込情報の有無を判定する（（４１）参照）。なお、この場合の呼接続要求情報には、発信者側ＩＰ電話装置２０Ａの通信場所を示す地域情報が含まれている。
その結果、本サーバ１０は、前記第一広告情報記憶部ＤＢ２に広告配信申込情報が有った場合に、上記第一広告情報記憶部ＤＢ２を参照して当該地域情報に基づき合致する所定の音声広告情報の抽出を実行する（（５０Ｄ）参照）。
なお、その後の処理の流れは、上記実施形態と同じである。
【００７７】
また、上記実施形態では、広告配信申込情報の有無を判定した後、広告区分情報に基づく音声広告情報の抽出を実行したが、本システムを利用する発信者は全て広告配信を希望するものと見做し、呼接続要求情報の受信後直ちに、広告区分情報に基づく音声広告情報の抽出を実行するものとしても良い。
【００７８】
さらに、上記実施形態では、発信者側ＩＰ電話装置２０Ａから送信された呼接続要求情報の受信後、直ちに所定の音声広告情報を抽出するものや、広告配信申込情報の有無を判定して前記広告配信申込情報が有った場合に、その中から所定の音声広告情報の抽出を実行するもの、音声広告情報の抽出条件を指定して抽出を実行するものとしたが、通話ごとに発信者の希望に応じて音声広告情報の配信有無を調整するものとしても良い。
図１２は、前記本サーバ１０における他の処理の流れをそれぞれ示すシーケンス図である。
以下、図１２に基づき、上記実施形態と異なる点を中心に説明する。
まず、本サーバ１０の呼接続要求情報の受信（（４０Ｂ）参照）までは、上記実施形態と同じである。
【００７９】
そして、本実施形態では、本サーバ１０は、発信者側ＩＰ電話装置２０Ａから送信された呼接続要求情報を受信すると、広告配信申込情報の有無を記憶する第一広告情報記憶部ＤＢ２を参照してＩＰアドレスに基づき前記広告配信申込情報の有無を判定する（（４１）参照）。
その結果、本サーバ１０は、前記第一広告情報記憶部ＤＢ２に広告配信申込情報が有った場合に、音声広告情報の配信を許可するか否かを問う配信問合せ情報を、配信予定先の発信者側ＩＰ電話装置２０Ａへ送信する（（４２）参照）。
【００８０】
一方、発信者側ＩＰ電話装置２０Ａは、本サーバ１０より送信された配信問合せ情報を受信する（（４２）参照）。
発信者側ＩＰ電話装置２０Ａは、音声広告情報の配信を許可する場合は、配信許可情報を本サーバ１０へ送信する（（４３）参照）。
【００８１】
また、本サーバ１０は、前記発信者側ＩＰ電話装置２０Ａより送信された、音声広告情報の配信許可を示す配信許可情報を受信する（（４４）参照）。
そして、本サーバ１０は、前記配信許可情報を受信した場合に、所定の第一広告情報の抽出を実行する（（５０Ｅ）参照）。
なお、その後の処理の流れは、上記実施形態と同じである。
【００８２】
また、上記実施形態では、広告配信申込情報の有無を判定した後、広告の配信を問う情報への応答に応じて音声広告情報の抽出を実行するものしたが、本システムを利用する発信者は全て広告配信を希望するものと見做し、呼接続要求情報の受信後直ちに、広告の配信を問う情報への応答に応じた音声広告情報の抽出を実行するものとしても良い。
【００８３】
次に、以上のような構成による本サーバ１０の基本的な動作の一例を、図１３及び図１４を参照しながら説明する。図１３及び図１４は、上記構成の本サーバ１０での流れを示すフローチャートである。
図１３に示されるように、まず、呼接続要求情報受信部１１が、ＳＩＰサーバ４０より送信された、発信者側ＩＰ電話装置２０ＡのＩＰアドレスを含む呼接続要求情報を受信したか否か判定する（Ｓ１１）。
その結果、呼接続要求情報受信部１１が前記呼接続要求情報を受信した場合（Ｙ）、呼接続要求情報受信部１１は、前記呼接続要求情報に含まれるＩＰアドレスを第一広告情報配信制御部１２へ送信することにより、前記呼接続要求情報を受信した旨を第一広告情報配信制御部１２へ通知する。第一広告情報配信制御部１２は、前記ＩＰアドレスを一時的に記憶する（Ｓ１２）。
一方、呼接続要求情報受信部１１が前記呼接続要求情報を受信していない場合（Ｎ）は、引き続き前記呼接続要求情報を受信したか否か判定を繰り返す（Ｓ１１）。
【００８４】
次に、第一広告情報配信制御部１２は、広告配信情報有無判定部１２ａが発信者情報記憶部ＤＢ１を参照して広告配信申込情報の有無を判定する（Ｓ１３）。
その結果、第一広告情報配信制御部１２では、広告配信情報有無判定部１２ａが発信者情報記憶部ＤＢ１に広告配信申込情報の有が記憶されていると判定した場合（Ｙ）は、その旨を通知する情報を配信問合せ情報送信部１２ｂへ送信する。また、第一広告情報配信制御部１２では、配信問合せ情報送信部１２ｂが広告配信情報有無判定部１２ａからの広告配信申込情報有りの通知を受け、第一広告情報の配信を許可するか否かを問う配信問合せ情報を配信予定先の発信者側ＩＰ電話装置２０Ａ（発信者端末２０）へ送信する（Ｓ１４）。
一方、第一広告情報配信制御部１２では、広告配信情報有無判定部１２ａが発信者情報記憶部ＤＢ１に広告配信申込情報の無が記憶されていると判定した場合（Ｎ）は、本サーバ１０での一連の動作はそのまま終了（エンド）する。したがって、広告情報の配信はなされず、発信者端末２０と着信者端末３０との間の通話を可能とする通常の呼接続の確立がなされる。
【００８５】
次に、第一広告情報配信制御部１２では、配信許可情報受信部１２ｃが第一広告情報の配信許可を示す配信許可情報を受信したか否か判定する（Ｓ１５）。
その結果、第一広告情報配信制御部１２では、配信許可情報受信部１２ｃが当該発信者側ＩＰ電話装置２０Ａ（発信者端末２０）より、第一広告情報の配信許可を示す配信許可情報を受信した場合（Ｙ）は、その旨を第一広告情報抽出部１２ｅへ通知する。また、第一広告情報配信制御部１２では、第一広告情報抽出部１２ｅが第一広告情報記憶部ＤＢ２を参照し第一広告情報として所定の音声広告情報を抽出する（Ｓ１６）。第一広告情報抽出部１２ｅは、抽出した音声広告情報を第一広告情報配信部１２ｆへ送信する。
一方、第一広告情報配信制御部１２では、配信許可情報受信部１２ｃが前記配信問合せ情報の配信予定先より受信しなかった（配信拒否情報を受信した）場合（Ｎ）は、本サーバ１０での一連の動作はそのまま終了（エンド）する。したがって、この場合も広告情報の配信はなされず、発信者端末２０と着信者端末３０との間の通話を可能とする通常の呼接続の確立がなされる。
【００８６】
なお、第一広告情報配信制御部１２では、呼接続要求情報受信部１１から送信されたＩＰアドレスを一時的に記憶した後、広告配信申込情報の有無を判定せずに、前記呼接続要求情報を受信した旨を第一広告情報抽出部１２ｅへ通知し、第一広告情報抽出部１２ｅが第一広告情報記憶部ＤＢ２を参照して所定の音声広告情報を抽出するものとしても良い。
また、第一広告情報配信制御部１２では、広告配信情報有無判定部１２ａが広告配信申込情報の有無を判定し、発信者情報記憶部ＤＢ１に広告配信申込情報の有が記憶されていると判定した後、第一広告情報の配信を許可するか否かを問う配信問合せ情報を配信予定先へ送信せずに、前記広告配信申込情報の有を第一広告情報抽出部１２ｅへ通知し、第一広告情報抽出部１２ｅが第一広告情報記憶部ＤＢ２を参照して所定の音声広告情報を抽出するものとしても良い。
【００８７】
次いで、第一広告情報配信制御部１２では、第一広告情報配信部１２ｆが第一広告情報抽出部１２ｅからの音声広告情報の送信を受け、第一広告情報配信部１２ｆは、前記呼接続要求情報に含まれるＩＰアドレスに基づき当該音声広告情報を前記発信者側ＩＰ電話装置２０Ａ（発信者端末２０）へ配信する（Ｓ１７）。この際、第一広告情報配信部１２ｆによる音声広告情報の発信者側ＩＰ電話装置２０Ａ（発信者端末２０）への配信に伴い、送信指示情報送信部１２ｊは、当該第一広告情報配信制御部１２（呼接続完了情報受信部１２ｈ）への送信先情報を含む前記呼接続完了情報の送信指示を前記発信者側ＩＰ電話装置２０Ａ（発信者端末２０）へ送信するか、着信者側ＩＰ電話装置３０Ａ（着信者端末３０）へ送信するか、ＳＩＰサーバ（接続装置）４０送信するものとする。
【００８８】
また、第一広告情報配信制御部１２では、前記第一広告情報配信部１２ｆでの音声広告情報の配信に伴い、当該音声広告情報の配信が完了した場合に、配信完了情報発信部１２ｇが広告配信完了情報を発信するものとする（Ｓ１８）。配信完了情報発信部１２ｇが発信した広告配信完了情報は、配信状況判定部１３へ送信される。
また、第一広告情報配信制御部１２では、前記第一広告情報配信部１２ｆでの音声広告情報の配信に伴い、第一広告情報配信部１２ｆは、配信した音声広告情報の広告ＩＤを一時的に記憶する（Ｓ１９）。
【００８９】
次いで、第一広告情報配信制御部１２では、呼接続完了情報受信部１２ｈが前記発信者端末２０と前記着信者端末３０との呼接続が確立したことを知らせる呼接続完了情報を、発信者側ＩＰ電話装置２０Ａ（発信者端末２０）、着信者側ＩＰ電話装置３０Ａ（着信者端末３０）、ＳＩＰサーバ（接続装置）４０のいずれかより受信したか否か判定する（Ｓ２０）。
その結果、第一広告情報配信制御部１２では、呼接続完了情報受信部１２ｈが前記呼接続完了情報を受信した場合（Ｙ）は、その旨を第一広告情報配信停止部１２ｉへ通知する。第一広告情報配信制御部１２では、第一広告情報配信停止部１２ｉが呼接続完了情報受信部１２ｈより呼接続完了情報を受信した旨の通知を受けたことに応じ、第一広告情報配信停止部１２ｉは、前記音声広告情報の配信を停止する（Ｓ２１）。第一広告情報配信停止部１２ｉは、音声広告情報の配信を停止した旨を通知する情報を配信状況判定部１３へ送信する。
一方、第一広告情報配信制御部１２では、呼接続完了情報受信部１２ｈが前記呼接続完了情報を受信しなかった場合（Ｎ）は、呼接続完了情報受信部１２ｈが前記呼接続完了情報を受信したか否か判定を繰り返す（Ｓ２０）。
【００９０】
引き続き配信状況判定部１３は、第一広告情報配信制御部１２からの音声広告情報の配信を停止した旨を通知する情報の受信に応じ、前記配信完了情報発信部１２ｇより広告配信完了情報の送信を受けているか否か（広告配信完了情報を受信したか否か）判定する（Ｓ２２）。
その結果、配信状況判定部１３が広告配信完了情報の送信を受けている（広告配信完了情報を受信した）場合（Ｙ）は、その旨を通知する情報をインセンティブ発行部１５へ送信する。
インセンティブ発行部１５は、前記配信状況判定部１３からの広告配信完了情報受信を通知する情報の受信に応じ、音声広告情報の配信先に対してインセンティブとしてポイントを発行する（Ｓ２３）。
そして、インセンティブ発行部１５は、発行したポイント情報を発信者情報記憶部ＤＢ１へ送信し、発信者情報記憶部ＤＢ１は前記配信先のＩＰアドレスに基づき当該ポイント情報を記憶する（Ｓ２４）。
一方、配信状況判定部１３が広告配信完了情報の送信を受けていない（広告配信完了情報を受信していない）場合（Ｎ）は、その旨を通知する情報を第二広告情報配信制御部１４へ送信する。
【００９１】
また、第二広告情報配信制御部１４では、前記配信状況判定部１３からの広告配信完了情報を受信していないこと通知する情報の受信に応じ、第二広告情報抽出部１４ａが第二広告情報記憶部ＤＢ３を参照して前記音声広告情報の広告ＩＤに基づきメール広告情報を抽出する（Ｓ２５）。
また、第二広告情報配信制御部１４では、連絡先情報抽出部１４ｂが前記第二広告情報抽出部１４ａでのメール広告情報の抽出に応じ、発信者情報記憶部ＤＢ１を参照して前記音声広告情報の配信先のＩＰアドレスに基づきメールアドレスなどの連絡先情報を抽出する（Ｓ２６）。
そして、第二広告情報配信制御部１４では、第二広告情報送信部１４ｃが前記第二広告情報抽出部１４ａでのメール広告情報の抽出、及び前記連絡先情報抽出部１４ｂでの連絡先情報の抽出に応じ、当該連絡先情報に基づき前記メール広告情報を該当する発信者に対して送信する（Ｓ２７）。
なお、この場合、第二広告情報配信制御部１４（第二広告情報送信部１４ｃ）がメール広告情報を発信者へ送信したことに伴い、その旨をインセンティブ発行部１５へ通知し、前記Ｓ２３及びＳ２４での動作と同様に処理するものとして良い。したがって、インセンティブ発行部１５は、第二広告情報配信制御部１４（第二広告情報送信部１４ｃ）からのメール広告情報配信を通知する情報の受信に応じ、発信者がメール広告を確認したものと見做してインセンティブとしてポイントを発行すると共に、当該ポイント情報を発信者情報記憶部ＤＢ１へ送信する。その後、発信者情報記憶部ＤＢ１は、前記配信先のＩＰアドレスに基づき当該ポイント情報を記憶する。
【００９２】
以上のように本実施形態では、通信ネットワークを介した音声信号の送受信を行う際に、接続装置への呼接続と同時に、本サーバへの広告情報の配信要求がなされるようにしたものであって、発信者側の通信端末に対し、通話開始時に通話が成立するまでの間、リングバックトーンに替えて音声広告を配信した場合、配信途中で通話が成立したことにより発信者に対して広告主が意図する告知を行なうことができなかったとしても、配信が完了しなかった（音声広告を全部聴取することができなかった）音声広告による告知を補完するメール広告を送信することとしたものである。ゆえに、広告主が意図した告知を担保することができるものとなる。しかも、メール広告の送信は、発信者の着信者に対する連絡に対して何ら支障をきたすものでもない。したがって、広告情報を適切に配信し、広告主の効果的な営業活動を支援することができるものとなる。
【図面の簡単な説明】
【００９３】
【図１】本発明に係る広告配信装置を用いた広告配信システムの概要を示す図である。
【図２】本発明に係る広告配信装置の実施形態の一例を示すブロック構成図である。
【図３】本発明に係る広告配信装置が備える発信者情報記憶部に記憶されているデータベース構造の一例である。
【図４】本発明に係る広告配信装置が備える第一広告情報記憶部に記憶されているデータベース構造の一例である。
【図５】本発明に係る広告配信装置が備える第二広告情報記憶部に記憶されているデータベース構造の一例である。
【図６】本発明に係る広告配信方法の処理の流れを示すシーケンス図である。
【図７】図６に示す広告配信方法の処理の流れの続きを示すシーケンス図である。
【図８】本発明に係る広告配信方法の他の処理の流れを示すシーケンス図である。
【図９】本発明に係る広告配信方法の他の処理の流れを示すシーケンス図である。
【図１０】本発明に係る広告配信方法の他の処理の流れを示すシーケンス図である。
【図１１】本発明に係る広告配信方法の他の処理の流れを示すシーケンス図である。
【図１２】本発明に係る広告配信方法の他の処理の流れを示すシーケンス図である。
【図１３】本発明に係る広告配信装置での情報処理の一例を示すフローチャートである。
【図１４】図１３に示す広告配信装置での情報処理の続きを示すフローチャートである。
【符号の説明】
【００９４】
ＤＢ１  発信者情報記憶部（第一記憶部）、ＤＢ２  第一広告（音声広告）情報記憶部（第二記憶部）、ＤＢ３  第二広告（文字・画像・音声）情報記憶部（第三記憶部）、１０  広告配信装置（本サーバ）、１１  呼接続要求情報受信部、１２  第一広告情報配信制御部、１３  配信状況判定部、１４  第二広告情報配信制御部、１５  インセンティブ発行部、２０（２０Ａ，２０Ｂ，２０Ｃ）  発信者端末、３０（３０Ａ，３０Ｂ，３０Ｃ）  着信者端末、４０  接続装置（ＳＩＰサーバ）。
【図１】
2008289107.tif 000003
【図２】
2008289107.tif 000004
【図３】
2008289107.tif 000005
【図４】
2008289107.tif 000006
【図５】
2008289107.tif 000007
【図６】
2008289107.tif 000008
【図７】
2008289107.tif 000009
【図８】
2008289107.tif 000010
【図９】
2008289107.tif 000011
【図１０】
2008289107.tif 000012
【図１１】
2008289107.tif 000013
【図１２】
2008289107.tif 000014
【図１３】
2008289107.tif 000015
【図１４】
2008289107.tif 000016